(57)【要約】【課題】誤った制御を行うことを抑制すること。【解決手段】実施形態の照明装置は、照明部と、受信部と、応答部と、制御部とを具備する。照明部は、任意の場所を照明する。受信部は、上位装置から送信された照明部に対する制御を指示する複極信号である制御信号を受信する。応答部は、受信部が受信した制御信号における信号期間及び休止期間のうち休止期間において制御信号の波形を変化させることにより上位装置に応答を返す。制御部は、応答部により波形が変化された制御信号に対して、正の極性で半波整流した半波整流信号、及び、負の極性で半波整流した半波整流信号のうち、制御信号の休止期間とＬレベル区間のタイミングが一致する方の半波整流信号に基づいて、照明部を制御する。【選択図】図８
2015185376.tif 000002
【特許請求の範囲】
【請求項１】
任意の場所を照明する照明部と；
上位装置から送信された前記照明部に対する制御を指示する複極信号である制御信号を受信する受信部と；
前記受信部が受信した制御信号における信号期間及び休止期間のうち休止期間において該制御信号の波形を変化させることにより前記上位装置に応答を返す応答部と：
前記応答部により波形が変化された前記制御信号に対して、正の極性で半波整流した半波整流信号、及び、負の極性で半波整流した半波整流信号のうち、前記制御信号の休止期間とＬレベル区間のタイミングが一致する方の半波整流信号に基づいて、前記照明部を制御する制御部と；
を具備することを特徴とする照明装置。
【請求項２】
前記応答部により波形が変化された前記制御信号に対して、正の極性で半波整流した半波整流信号、及び、負の極性で半波整流した半波整流信号のうち、前記制御信号と信号期間及び休止期間のタイミングが一致する方の半波整流信号を特定する特定部を更に具備し、
前記制御部は、前記特定部により特定された半波整流信号に基づいて、前記照明部を制御する
ことを特徴とする請求項１に記載の照明装置。
【発明の詳細な説明】
【技術分野】
【０００１】
本発明の実施形態は、照明装置に関する。
【背景技術】
【０００２】
近年、複数の照明装置を個別に制御することを可能にする照明システムが知られている。かかる照明システムは、消灯、点灯、照度の変更等の制御を指示する信号を制御信号として各照明装置に対して送信する上位装置と、上位装置から受信した制御信号に従ってＬＥＤ（Light  Emitting  Diode）を制御する電源装置を備えた照明装置とを有する。照明装置は、制御信号が示す指示（制御内容）に基づいたＬＥＤの制御を完了した場合などには、制御信号が流れる２つの信号線を短絡することにより、信号線に短絡電流を流すか、または、２つの信号線間の電圧を低下させる。この場合に、上位装置は、短絡電流または電圧の低下を検知することができる。上位装置は、短絡電流または電圧の低下を検知することによって、照明装置からの応答を検知する。このようにして、照明装置は、上位装置へ応答を返す。
【０００３】
しかしながら、応答を返す際に、制御信号の波形に変化が生じるので、照明装置は、波形に変化が生じた制御信号から、誤った制御内容を検知してしまう場合がある。誤った制御内容を検知した場合には、照明装置は、誤った制御内容に基づいて、ＬＥＤを誤制御してしまう。
【先行技術文献】
【非特許文献】
【０００４】
【非特許文献１】“照明器具個別制御システム  T/Flecs（ティーフレックス）  |  照明制御・航空障害灯  |  商品紹介  |  東芝ライテック(株)”、［online］、［平成２６年３月７日検索］、インターネット＜http://www.tlt.co.jp/tlt/products/system/t＿flecs.htm＞
【発明の概要】
【発明が解決しようとする課題】
【０００５】
本発明が解決しようとする課題は、誤った制御を行うことを抑制することができる照明装置を提供することを目的とする。
【課題を解決するための手段】
【０００６】
実施形態の照明装置は、照明部と、受信部と、応答部と、制御部とを具備する。照明部は、任意の場所を照明する。受信部は、上位装置から送信された照明部に対する制御を指示する複極信号である制御信号を受信する。応答部は、受信部が受信した制御信号における信号期間及び休止期間のうち休止期間において制御信号の波形を変化させることにより上位装置に応答を返す。制御部は、応答部により波形が変化された制御信号に対して、正の極性で半波整流した半波整流信号、及び、負の極性で半波整流した半波整流信号のうち、制御信号の休止期間とＬレベル区間のタイミングが一致する方の半波整流信号に基づいて、照明部を制御する。
【発明の効果】
【０００７】
実施形態の照明装置によれば、誤った制御を行うことを抑制することができるという効果が期待できる。
【図面の簡単な説明】
【０００８】
【図１】図１は、実施形態に係る照明システムの構成例を示す図である。
【図２】図２は、所定の制御方式の制御信号の一例を示す図である。
【図３】図３は、実施形態に係る電源制御部１０の構成例を説明する図である。
【図４】図４は、実施形態に係るインターフェース回路１２の構成例を説明する図である。
【図５Ａ】図５Ａは、入力される制御信号の一例を示す図である。
【図５Ｂ】図５Ｂは、出力する半波整流信号の一例を示す図である。
【図５Ｃ】図５Ｃは、出力する半波整流信号の一例を示す図である。
【図６Ａ】図６Ａは、入力される制御信号の一例を示す図である。
【図６Ｂ】図６Ｂは、波形が変化した制御信号の一例を示す図である。
【図７Ａ】図７Ａは、波形が変化した制御信号を半波整流した半波整流信号の一例を示す図である。
【図７Ｂ】図７Ｂは、波形が変化した制御信号を半波整流した半波整流信号の一例を示す図である。
【図８】図８は、実施形態に係るマイコンが有する機能構成を説明する図である。
【図９】図９は、実施形態に係るマイコンが実行する処理の手順を示すフローチャートである。
【発明を実施するための形態】
【０００９】
以下、図面を参照して、実施形態に係る照明システム１および照明装置５を説明する。実施形態において同一の部位には同一の符号を付し、重複する説明は省略される。
【００１０】
（実施形態）
まず、図１〜図９を用いて、実施形態に係る照明システムについて説明する。
【００１１】
［照明システムの構成］
図１は、実施形態に係る照明システムの構成例を示す図である。図１に示した照明システム１は、宅内やオフィス等に設置された照明装置の制御や監視を実現するシステムである。例えば、照明システム１は、照明装置が設置された環境の情報をセンサ等で取得し、取得した情報に基づいて、照明装置の制御を行う場合がある。
【００１２】
図１に示した照明システム１は、上位装置２と複数の通信部３、４が接続される。また、通信部３は、複数の照明装置５〜７と接続される。また、通信部４は、照明装置８と接続される。また、照明装置５は、ＬＥＤ９と電源制御部１０とを有する。ＬＥＤ９は、任意の場所を照明する。ＬＥＤ９は、照明部の一例である。電源制御部１０は、ＬＥＤ９の制御を行う。また、照明装置６〜８は、照明装置５と同様の機能を発揮するものとして、以下の説明を省略する。また、図１に示す照明システム１が有する通信部３，４、照明装置５〜８の数は、一例に過ぎず、照明システム１の構成に応じて適宜変更可能である。
【００１３】
上位装置２は、通信部３、通信部４に対し、照明器具の制御を指示する制御信号を出力する。例えば、上位装置２は、通信部３に対し、照明装置５が有するＬＥＤ９の点灯、消灯、照度の変更、光の色の変更等、任意の制御を指示する制御信号を出力する。また、上位装置２は、照明器具の制御を行うために、任意の種別の制御方式を利用することができる。例えば、上位装置２は、照明器具を制御するために、所定の制御方式に対応する制御信号を出力する。以下、上位装置２が、この所定の制御方式に対応する制御信号（所定の制御方式の制御信号）を出力する場合を例に挙げて説明する。
【００１４】
ここで、上位装置２が出力する所定の制御方式の制御信号について説明する。図２は、所定の制御方式の制御信号の一例を示す図である。図２に示すように、所定の制御方式の制御信号は、電圧が正負両極の範囲で変化する制御信号である。このような制御信号は、電圧が正負両極の範囲で変化することから、複極信号とも称される。すなわち、上位装置２は、図２に示すような複極信号を制御信号として出力する。
【００１５】
所定の制御方式の制御信号は、電圧の立上りや立下りの位置で制御内容を示す制御信号である。例えば、所定の制御方式の制御信号は、電圧の立上りから立下りまでの期間（区間）で制御内容を示す。図２に示すように、このような期間は、相対的に正の極性を有する期間であり、信号期間とも称される。また、電圧の立下りから立上りまでの期間（相対的に負の極性を有する期間）は、制御に寄与しないため、休止期間とも称される。ここで、相対的に正の極性を有する期間とは、他の期間に比べて相対的に電圧値が高い期間を指す。同様に、相対的に負の極性を有する期間とは、他の期間に比べて相対的に電圧値が低い期間を指す。
【００１６】
図１に戻って説明を続ける。通信部３は、上位装置２と各照明装置５〜７との通信を中継する中継装置である。例えば、通信部３は、上位装置２から、ＬＥＤ９に対する制御内容を示す制御信号を受信すると、受信した制御信号を、ＬＥＤ９を有する照明装置５に出力する。また、通信部３は、照明装置５から、制御信号が示す制御内容に基づいたＬＥＤ９の制御を完了したことに対する応答を示す応答信号や、ＬＥＤ９の状態を示す通知信号を受信した場合は、受信した応答信号や通知信号を上位装置２へ送信する。この結果、上位装置２は、ＬＥＤ９の制御が完了した旨や、ＬＥＤ９の調光状態を把握することができる。通信部４は、通信部３と同様の機能を発揮するものとして、説明を省略する。
【００１７】
照明装置５は、例えば、宅内やオフィス等に設置された照明装置である。照明装置５は、ＬＥＤ９と電源制御部１０とを有する。ＬＥＤ９は、交換可能な照明である。電源制御部１０は、ＬＥＤ９の制御を行う。また、照明装置５は、従来の照明装置と同様に、照明システム１の設置や更新を行う際に、設置や交換を行う単位となる。
【００１８】
［電源制御部１０の構成］
以下、図３を用いて、電源制御部１０の構成例を説明する。図３は、実施形態に係る電源制御部１０の構成例を説明する図である。図３に示すように、電源制御部１０は、電源回路１１、インターフェース回路１２、マイコン１３、制御回路１４を有する。また、電源回路１１には、ＬＥＤ９に供給される電力の電源が接続されている。
【００１９】
［電源回路１１］
電源回路１１は、制御回路１４による制御に応じて、ＬＥＤ９に対して供給する電力を変更する回路である。例えば、電源回路１１は、電源から電力の供給を受ける。そして、電源回路１１は、制御回路１４からの制御信号を受信すると、受信した制御信号に従って、電源から供給された電力をＬＥＤ９に供給する量の制御等を行うことで、ＬＥＤ９の点灯、消灯、照度の変更、光の色の変更等を行う。
【００２０】
［インターフェース回路１２］
インターフェース回路１２は、通信部３から受信した制御信号を整流する整流回路を有し、整流回路を用いて整流した制御信号をマイコン１３に出力する。具体例を挙げて説明すると、インターフェース回路１２は、マイコン１３が制御内容を識別できるようにするため、制御信号を正極側に半波整流した整流信号である半波整流信号と、制御信号を負極側に半波整流した整流信号である半波整流信号をマイコン１３に出力する。
【００２１】
次に、図４を用いて、インターフェース回路１２の構成例を説明する。図４は、実施形態に係るインターフェース回路１２の構成例を説明する図である。図４に示す例では、インターフェース回路１２は、整流部１５と、応答部３０とを有する。整流部１５は、２つの信号線から制御信号を入力し、一方の信号線から入力された制御信号と負極側の出力とを合せて出力するとともに、他方の信号線から入力された制御信号と負極側の出力とを合せて出力する。ここで、例えば、一方の信号線からの制御信号の入力を入力＃１とし、他方の信号線からの制御信号の入力を入力＃２とし、入力＃１と負極側の出力とを合せた出力を出力＃１とし、入力＃２と負極側の出力とを合せた出力を出力＃２とする。すなわち、整流部１５は、制御信号に対して、正の極性で半波整流した半波整流信号を出力するとともに、負の極性で半波整流した半波整流信号を出力する。なお、整流部１５が半波整流する制御信号には、後述の応答部３０により波形が変化した制御信号も含まれる。また、整流部１５は、例えば、ブリッジ型に接続したダイオードやトランスを備える回路によって実現される整流回路であり、ダイオードの記号とダイオードの記号を囲むひし形の図形で記載した。
【００２２】
整流部１５は、通信部３から複極信号である制御信号が入力された場合は、マイコン１３が制御内容を識別可能な信号を出力＃１および出力＃２として出力する。例えば、整流部１５は、図５Ａに示すような制御信号が入力された場合には、図５Ｂに示すような信号を出力＃１として出力し、図５Ｃに示すような信号を出力＃２として出力する。
【００２３】
応答部３０は、制御信号における信号期間及び休止期間のうち休止期間において制御信号の波形を変化させることにより上位装置２に応答を返す。応答部３０は、スイッチ３０ａと、抵抗３０ｂと、応答制御部３０ｃとを有する。スイッチ３０ａは、制御信号が流れる２つの信号線の間に設けられたスイッチである。スイッチ３０ａは、応答制御部３０ｃの制御によりオンされると、２つの信号線間を導通の状態にする。また、スイッチ３０ａは、応答制御部３０ｃの制御によりオフされると、２つの信号線間を非導通の状態にする。抵抗３０ｂは、スイッチ３０ａがオフからオンになった場合に、突入電流を防止するための抵抗である。ここで、マイコン１３が、制御信号が示す、ある制御内容に従ったＬＥＤ９の制御が完了した場合には、制御信号における信号期間及び休止期間のうち休止期間において、所定の時間Ｔだけオフとなるようにスイッチ３０ａを制御する指示である応答指示を応答部３０に送信する。このような指示をマイコン１３から受けると、応答制御部３０ｃは、応答指示に従って、制御信号が示す、ある制御内容に従ったＬＥＤ９の制御が完了した場合には、制御信号における信号期間及び休止期間のうち休止期間において、所定の時間Ｔだけオフとなるようにスイッチ３０ａを制御する。このようにして、応答制御部３０ｃは、休止期間において上位装置２に応答を返す。
【００２４】
例えば、応答制御部３０ｃは、図６Ａに示すような入力された制御信号に対して、信号期間及び休止期間のうち休止期間において、所定の時間Ｔだけオフとなるようにスイッチ３０ａを制御する。これにより、制御信号の波形は、図６Ｂに示すような波形となる。
【００２５】
ここで、整流部１５は、図６Ｂに示すような制御信号が入力された場合は、図７Ａに示すような信号を出力＃１として出力し、図７Ｂに示すような信号を出力＃２として出力する。なお、図７Ａ及び図７Ｂには、信号のＨレベル区間及びＬレベル区間が示されている。整流部１５は、応答部３０により制御信号の波形が変化された場合には、図７Ｂに示すように、信号期間に波形の変化が現れるような半波整流信号を出力する。仮に、このような波形の変化が現れた半波整流信号を用いてＬＥＤ９を制御した場合には、誤った制御内容で制御してしまう可能性がある。
【００２６】
［マイコン１３］
そこで、本実施形態に係るマイコン１３は、波形が変化された制御信号に対して正の極性で半波整流した半波整流信号、及び、負の極性で半波整流した半波整流信号のうち、正しく制御内容を導出できるほうの半波整流信号を特定して、特定した半波整流信号から制御内容を導出し、導出した制御内容の実行指示を制御回路１４に出力する。図３に戻って説明を続ける。マイコン１３は、予め用意されたプログラムを実行することで、所定の機能を発揮するマイクロコントローラであり、例えば、ＡＳＩＣ（Application  Specific  Integrated  Circuit）やＦＰＧＡ（Field  Programmable  Gate  Array）等の集積回路により実現される。また、マイコン１３は、例えば、ＣＰＵ（Central  Processing  Unit）やＭＰＵ（Micro  Processing  Unit）等によって実現されてもよい。
【００２７】
図８を用いて、マイコン１３が有する機能の構成の一例について説明する。図８は、実施形態に係るマイコンが有する機能構成を説明する図である。図８の例に示すように、マイコン１３は、受信部１６と、特定部１７と、制御部１８とを有する。
【００２８】
受信部１６は、インターフェース回路１２から制御信号を受信する。例えば、受信部１６は、インターフェース回路１２から、制御信号に対して正の極性で半波整流した半波整流信号を受信するとともに、負の極性で半波整流した半波整流信号を受信する。そして、受信部１６は、受信した２つの半波整流信号が、応答が返されたタイミングで半波整流された半波整流信号であるか否かを判定する。なお、ここでいう応答が返されたタイミングとは、例えば、マイコン１３が応答指示を応答部３０に対して送信したタイミングから、所定の遅延時間分の範囲を指す。ここで、所定の遅延時間とは、例えば、実際にマイコン１３が応答指示を応答部３０に対して送信してからの制御信号の波形が変化するであろうと考えられる時間である。受信部１６は、受信した２つの半波整流信号が、応答が返されたタイミングで半波整流された半波整流信号でないと判定した場合には、２つの半波整流信号のうちのいずれかの半波整流信号を制御部１８に出力する。応答が返されていないタイミングで半波整流された２つの半波整流信号には、波形の変化が現れていないため、いずれの半波整流信号を用いても、半波整流信号の立上り及び立下りを検出することで、制御内容を精度良く導出することができるからである。
【００２９】
一方、受信部１６は、受信した２つの半波整流信号が、応答が返されたタイミングで半波整流された半波整流信号であると判定した場合には、受信した２つの半波整流信号を特定部１７に出力する。そして、受信部１６は、制御部１８に出力する半波整流信号の指示を特定部１７から受信した場合は、インターフェース回路１２から受信した２つの半波整流信号のうち特定部１７から指定された半波整流信号を制御部１８へ送信する。
【００３０】
特定部１７は、応答部３０により波形が変化された制御信号に対して、正の極性で半波整流した半波整流信号、及び、負の極性で半波整流した半波整流信号のうち、制御信号の休止期間とＬレベル区間のタイミングが一致する方の半波整流信号を特定する。これは、制御信号の休止期間とＬレベル区間のタイミングが一致する方の半波整流信号には、応答部３０による波形の変化が現れないからである。ここで、特定部１７は、所定の信号フォーマットと２つの半波整流信号のそれぞれとを照合することで、２つの半波整流信号のうち、制御信号の休止期間とＬレベル区間のタイミングが一致する方の半波整流信号を特定することができる。そして、特定部１７は、特定した半波整流信号を制御部１８に出力する半波整流信号とする旨の指示を受信部１６に出力する。
【００３１】
例えば、特定部１７は、図７Ａに示す半波整流信号及び図７Ｂに示す半波整流信号のうち、図６Ｂに示す制御信号の休止期間とＬレベル区間のタイミングが一致するほうの図７Ａに示す半波整流信号を特定する。そして、特定部１７は、図７Ａに示す半波整流信号を制御部１８に出力する半波整流信号とする旨の指示を受信部１７に出力する。これにより、受信部１７から、図７Ａに示す半波整流信号が制御部１８に出力される。
【００３２】
制御部１８は、半波整流信号を受信した場合は、受信した半波整流信号が示す制御内容を所定の制御方式の規約にそって導出し、導出した制御内容を反映させるよう制御回路１４に指示する。
【００３３】
なお、マイコン１３が、応答指示を応答部３０に対して送信したタイミングを把握しているため、このタイミングで半波整流された半波整流信号に対して波形の変化がないものとみなした上で、いずれかの半波整流信号から制御内容を導出することも考えられる。しかしながら、実際にマイコン１３が応答指示を応答部３０に対して送信してから実際に制御信号の波形が変化するまでに、遅延が発生する。この遅延の量は、回路条件によって異なる。このため、半波整流信号に対して波形の変化がないものとみなされる期間を設定することは、困難である。
【００３４】
［制御回路１４］
図３に戻り、説明を続ける。制御回路１４は、マイコン１３から送信された制御信号が示す制御内容をＬＥＤ９に反映させる。例えば、制御回路１４は、ＬＥＤ９の点灯、消灯、照度の変更、光の色の変更等の制御内容をマイコン１３から受信した場合は、受信した制御内容を反映させるよう電源回路１１を制御することで、ＬＥＤ９に制御内容を反映させる。
【００３５】
［照明装置５による処理の手順］
次に、図９を用いて、実施形態に係るマイコン１３が実行する処理の流れについて説明する。図９は、実施形態に係るマイコン１３が実行する処理の手順を示すフローチャートである。図９に示すように、受信部１６は、インターフェース回路１２から、制御信号に対して正の極性で半波整流した半波整流信号を受信するとともに、負の極性で半波整流した半波整流信号を受信したか否かを判定する（ステップＳ１０１）。
【００３６】
受信していないと判定した場合（ステップＳ１０１；Ｎｏ）には、受信部１６は、再び、ステップＳ１０１の判定を行う。一方、受信したと判定した場合（ステップＳ１０１；Ｙｅｓ）には、受信部１６は、受信した２つの半波整流信号が、応答が返されたタイミングで半波整流された半波整流信号であるか否かを判定する（ステップＳ１０２）。
【００３７】
受信部１６は、受信した２つの半波整流信号が、応答が返されたタイミングで半波整流された半波整流信号でないと判定した場合（ステップＳ１０２；Ｎｏ）には、２つの半波整流信号のうちのいずれかの半波整流信号を制御部１８に出力する（ステップＳ１０３）。そして、制御部１８は、半波整流信号を受信した場合は、受信した半波整流信号が示す制御内容を所定の制御方式の規約にそって導出し、導出した制御内容を反映させるよう制御回路１４に指示し（ステップＳ１０４）、処理を終了する。
【００３８】
一方、受信部１６は、受信した２つの半波整流信号が、応答が返されたタイミングで半波整流された半波整流信号であると判定した場合（ステップＳ１０２；Ｙｅｓ）には、受信した２つの半波整流信号を特定部１７に出力する（ステップＳ１０５）。
【００３９】
そして、特定部１７は、受信部１６から出力された２つの半波整流信号のうち、制御信号の休止期間とＬレベル区間のタイミングが一致する方の半波整流信号を特定する（ステップＳ１０６）。そして、特定部１７は、特定した半波整流信号を制御部１８に出力する半波整流信号とする旨の指示を受信部１６に出力する（ステップＳ１０７）。
【００４０】
そして、受信部１６は、特定部１７から受信した指示に基づいて、インターフェース回路１２から受信した２つの半波整流信号のうち特定部１７から指定された半波整流信号を制御部１８へ送信する（ステップＳ１０８）。そして、制御部１８は、半波整流信号を受信した場合は、受信した半波整流信号が示す制御内容を所定の制御方式の規約にそって導出し、導出した制御内容を反映させるよう制御回路１４に指示し（ステップＳ１０９）、処理を終了する。
【００４１】
［実施形態の効果］
上述したように、照明装置５は、任意の場所を照明するＬＥＤ９を具備する。照明装置５は、上位装置２から送信されたＬＥＤ９に対する制御を指示する複極信号である制御信号を受信するインターフェース回路１２を具備する。照明装置５は、インターフェース回路１２が受信した制御信号における信号期間及び休止期間のうち休止期間において制御信号の波形を変化させることにより上位装置２に応答を返す応答部３０を具備する。照明装置５は、応答部３０により波形が変化された制御信号に対して、正の極性で半波整流した半波整流信号、及び、負の極性で半波整流した半波整流信号のうち、制御信号の休止期間とＬレベル区間のタイミングが一致する方の半波整流信号に基づいて、ＬＥＤ９を制御する制御部１８を具備する。このように、照明装置５は、応答部３０により波形が変化された制御信号に対して、正の極性で半波整流した半波整流信号、及び、負の極性で半波整流した半波整流信号のうち、波形の変化が現れていない半波整流信号に基づいて、ＬＥＤ９を制御する。したがって、照明装置５によれば、誤った制御を行うことを抑制することができる。
【００４２】
なお、実施形態において、受信部１６が、受信した２つの半波整流信号が、応答が返されたタイミングで半波整流された半波整流信号であるか否かを判定し、２つの半波整流信号が、応答が返されたタイミングで半波整流された半波整流信号であると判定した場合には、２つの半波整流信号を特定部１７に出力する場合について例示した。しかしながら、受信部１６は、２つの半波整流信号を受信すると、上述した判定を行わずに、２つの半波整流信号を特定部１７に出力するようにしてもよい。
【００４３】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００４４】
２        上位装置
５        照明装置
９        ＬＥＤ
１０      電源制御部
１１      電源回路
１２      インターフェース回路
１３      マイコン
１４      制御回路
１６      受信部
１７      特定部
１８      制御部
【図１】
2015185376.tif 000003
【図２】
2015185376.tif 000004
【図３】
2015185376.tif 000005
【図４】
2015185376.tif 000006
【図５Ａ】
2015185376.tif 000007
【図５Ｂ】
2015185376.tif 000008
【図５Ｃ】
2015185376.tif 000009
【図６Ａ】
2015185376.tif 000010
【図６Ｂ】
2015185376.tif 000011
【図７Ａ】
2015185376.tif 000012
【図７Ｂ】
2015185376.tif 000013
【図８】
2015185376.tif 000014
【図９】
2015185376.tif 000015